(57)【特許請求の範囲】
【請求項１】
前枠の背面に遊技盤を装着する機構枠を備え、該機構枠に開設する窓を通して前記遊技盤の背後に備える機構部品類を後方に突き出し、機構枠の背後を被う保護カバーの空間内に突入させてなるパチンコ機において、
前記遊技盤には前記機構部品類の中にあって熱発生源となる機構部品の取付位置に等しいか若しくはこれより上部位置に前後に貫通する排気孔を開設し、該排気孔を通して前記機構部品類から発する熱気を前記保護カバー内から前記遊技盤前面側に排出せしめると共に、該遊技盤前面の空間から前記機構枠に設けられる間隙を通して枠の外部に上昇放出することを特徴としたパチンコ機。
【請求項２】
請求項１に記載のパチンコ機において、前記排気孔は遊技盤前面に取付けられる飾り部品の取付位置に対応して開設し、該排気孔の前面開口部を前記飾り部品によって隠すことを特徴としたパチンコ機。
【請求項３】
請求項２に記載のパチンコ機において、前記飾り部品は打球振分け用の風車であることを特徴としたパチンコ機。
【請求項４】
請求項３に記載のパチンコ機において、前記風車は回転支軸を取付基板に回転自由に支持せしめると共に該回転支軸の後方の延長軸部を排気孔に挿通し、且つ該延長軸部に軸流ファンを装着して前記風車の回転時に熱気を強制排出することを特徴としたパチンコ機。
【請求項５】
請求項１に記載のパチンコ機において、前記遊技盤には前後に貫通させて排気孔を開設する一方、前枠の上枠部分に背面から前面に抜ける第２の排気孔を開設して前記遊技盤の排気孔を通して後方の保護カバー内から遊技盤前方に排出される熱気を該第２の排気孔を通してパチンコ機前面側に排出することを特徴としたパチンコ機。
【請求項６】
請求項５に記載のパチンコ機において、前記第２の排気孔には不正行為防止の防護ネット及び或いは返し片を装備してなることを特徴としたパチンコ機。
【発明の詳細な説明】
【０００１】
【発明の属する技術分野】
本発明は、パチンコ機に関し、更に詳しくは遊技盤に装備する機構部品類、特に発熱源となる機構部品類から発生する熱気を機外に放出するようにしたパチンコ機に関する。
【０００２】
【従来の技術】
パチンコ機の遊技盤の背面には可変入賞装置を作動させるモータやソレノイド、液晶表示装置の本体部分等が配置される一方、入賞装置を始めとする各種の機構部品を制御する制御回路基板等多くの部品類が装備され、またこれらの部品類が外部から不正に操作されるのを防止するため部品類を直接的に被覆保護し、或いは遊技盤背面の全体を保護カバーで被覆して保護することが行われている。
【０００３】
前記保護カバーによる場合、通常は遊技盤を装着する機構枠にこの保護カバーを装備して機構枠に開設する窓を通してその背後に突き出す機構部品類の全体を背後から被うようにしてあり、制御回路基板等機構部品相互間を接続するコード等に対して不正手段が講じられることのないよう防備している。
【０００４】
この保護カバーによる防備は遊技盤背面に設備される機構部品の全体を被覆することから安全性が高く、また保護カバーを機構枠に備えることから例えば遊技盤を交換する場合にも、機構枠と共にそのまゝ使用することができ便利なものとなっている。
【０００５】
しかし、この保護カバーによる場合、遊技盤背面の全ての機構部品を被覆するものとなるため、電気的に作動し発熱する機構部品、例えば前記モータやソレノイド、液晶表示装置等から発生する熱がカバー内に溜まり、熱を嫌う制御回路関係の部品の作動環境を阻害し悪影響を及ぼす問題がある。
【０００６】
従来この問題を解消するため熱源となるランプやソレノイドの使用個数の削減を計ったり、換気扇による強制冷却をしたり、或いは保護カバーに放熱のための換気孔を開設する等の方法が講じられたが、熱源となるランプ類の削減は装飾効果を下げることになり、また動力源の削減は遊技者の興趣を低下させる問題があり、強制冷却の方法は換気扇を駆動する動力源が新たな熱源となる問題がある。そして、カバーに換気孔を開設する方法は防犯上有効な位置に充分な孔を開設できない問題がある。
【０００７】
【発明が解決しようとする課題】
本発明は上述した問題に鑑みこれを解決するため開発されたもので、その目的とするところは防護カバーに変更を加えることなく内部に溜まる熱気を外部に排出し、電子部品等の機構部品類の作動環境を整え機能の安定化を図るようにしたパチンコ機を提供することにある。
【０００８】
保護カバー内の熱気の放出は前述した通り保護カバーに排気孔を開設し対流を利用して外部に放出する方法があるが、この方法によると保護カバーの外に放出された熱気がパチンコ機が背中合せに集中する遊技場のパチンコ機取付台の中間部分に溜まる結果、再度カバー内に取り込まれる問題がある。
【０００９】
本発明は、この様なことからパチンコ機の背面において発生する熱気、更には保護カバー内で放出され溜まる熱気をパチンコ機の前面側若しくは上方に放出して再度遊技盤の背後や保護カバー内に還流し、電子部品類に悪影響を与えることのないようにしたパチンコ機を提供しようとするものである。
【００１０】
【課題を解決するための手段】
即ち、本発明は上記目的に基づき、背面に機構部品類を装着する遊技盤の適所に換気孔を開設し、前記機構部品類の中で熱発生源となる主に電気部品類からの熱気を遊技盤前面に沿って上方に、或いは更に遊技盤を装着する前枠に開設する第２の換気孔を通して機外に放出するようにしてなるパチンコ機を提供することにある。
【００１１】
更に詳述すれば、本発明は前枠の背面に遊技盤を装着する機構枠を備え、該機構枠に開設する窓を通して前記遊技盤の背後に備える機構部品類を後方に突出させてなるパチンコ機において、前記遊技盤には前記機構部品類の中にあって熱発生源となる機構部品の取付位置に等しいか若しくはこれより上部位置に前後に貫通する排気孔を開設し、該排気孔を通して前記機構部品類から発する熱気を遊技盤前面側に排出することを特徴としたパチンコ機を提供することにある。
【００１２】
また本発明は、前記排気孔は遊技盤前面に取付けられる飾り部品の取付位置に対応して開設し、該排気孔の前面開口部を前記飾り部品によって被い隠すことを特徴としたパチンコ機を提供することにある。
【００１３】
また本発明は、前記飾り部品は打球振分け用の風車であることを特徴としたパチンコ機を提供することにある。
【００１４】
また本発明は、前記風車は回転支軸を取付基板に回転自由に支持せしめると共に該回転支軸の後方の延長軸部を排気孔に挿通し、且つ該延長軸部に軸流ファンを装着して前記風車の回転時に熱気を強制排出することを特徴としたパチンコ機を提供することにある。
【００１５】
また本発明は、前記遊技盤には前後に貫通させて排気孔を開設する一方、前枠に上枠部分に背面から前面に抜ける第２の排気孔を開設して前記遊技盤の排気孔を通して後方から盤面前方に排出される熱気を該第２の排気孔を通してパチンコ機前面側に排出することを特徴としたパチンコ機を提供することにある。
【００１６】
また本発明は、前記第２の排気孔には不正行為防止の防護ネット及び或いは返し片を装備してなることを特徴としたパチンコ機を提供することにある。
【００１７】
【発明の実施の形態】
【実施例１】
次に、本発明につき図示する実施例について詳述し、その特徴とするところを明らかにする。
図１は本発明に係るパチンコ機の概略説明正面図であり、図２は図１のＡ−Ａ線に沿って断面とした部分の拡大縦断右側面図である。
【００１８】
矩形に枠組される外枠１に対して一側縁で開閉自由に蝶着される前枠２は、上部中央部に開設する窓にガラス枠３を収め、このガラス枠に嵌め付けるガラス４によって窓を塞ぐようにしてあり、前面の下半部分には賞球を受け、貯留するための上皿５と下皿６、そして打球を発射操作するグリップ７を備える。
【００１９】
上記前枠２は背面に遊技盤８を装着するための機構枠９を装備し、この機構枠によって前記前枠２に開設する窓を背後から塞ぐことになっている。
【００２０】
前記機構枠９は、ここでは金属板によって浅い箱形に形成してあり、周縁部の鍔１０を前枠２の背面に添わせ釘の打付け等によって固着するようにしてあり、箱の底部に当たる起立背面部１１には後述する遊技盤８の機構部品類を後方に逃すための窓１２を開設し、これの背面部には窓１２を囲み被うように保護カバー１３が一体に備えてある。
【００２１】
上記保護カバー１３は、奥行きをもった箱形に形成してあり、内部に広い空間を確保して遊技盤８の背面に設備する機構部品類を収容できるようにしてあり、この保護カバー１３の上方には機構枠９の背面に対して直接取付くように賞球用の貯留タンク１４、この貯留タンクから図示しない賞球装置に対して球を誘導する賞球誘導樋１５が設備される。
尚、図示しないが機構枠９の背面には賞球装置の外にアウト球を機外に誘導する樋や、賞球を前記上皿５に放出誘導する樋等が設備される。
【００２２】
遊技盤８は、ここでは機構枠９の前面を塞ぐガラス枠３を開放して前方から内部に差し入れるようにして収めた後、図示しない止めクリップを使って起立背面部１１に密着させ着脱自由に取付けるようにしてある。
【００２３】
上記遊技盤８は前面に発射装置から打出される打球を誘導する外レール１６と、この外レールに連続し遊技部１７を囲繞する内レール１８を備え、遊技部１７には所定の位置に植設される障害釘１９、風車２０、入賞口２１、可変入賞装置２２等の外、液晶表示装置２３や各種の表示ランプ２４，２５を設備している。
【００２４】
一方、背面には前記液晶表示装置２３や、可変入賞装置２２の本体部が盤を貫いて突き出し、また盤前面に設備される入賞口２１（２２には１つの入賞口を代表して図示するが複数個の入賞口が適宜配置される。）に受け入れ盤に穿つ透孔を通して背後に取り込まれるセーフ球を集め、これを検出器に送る球寄せカバー２６が設けられる。
【００２５】
遊技盤の背面から突き出す前記液晶表示装置２３や可変入賞装置２２の本体部、また図示しないが遊技を制御する遊技制御回路基板等の機構部品類は遊技盤８を機構枠９に装着する際、背面部の窓１２を通して後方に逃し、前記保護カバー１３によって囲まれる閉塞された空間２７に収められる。
【００２６】
液晶表示装置２３は広く知られるように主に図柄を表示し、ゲームの組立によって可変する複数の図柄の組合せを表示して入賞に繋がるゲームの成立，不成立等を表示するものであり、液晶表示面を遊技盤前面に臨ませ、電子部品を組込む本体部を上述のように空間２７に突き出すことになる。
【００２７】
また、可変入賞装置２２は通常大入賞口と称している前面に打球を受ける開閉扉を備えた装置であって、後方に突き出す本体部には上記開閉扉を開閉動するソレノイドが組込まれ、開放指令を受けたとき所定回数、若しくは一定時間ソレノイドを作動して開閉動するものとなっている。
【００２８】
図中、２８は遊技盤８の上部に前後に貫き開設した排気孔である。
この実施例における排気孔２８は前方を遊技盤前面の遊技部１７の上部に開口させ、後方を保護カバー１３で囲まれた空間２７に開口させて、空間２７と遊技盤の前面の空間、つまり遊技盤８とガラス４との間に形成される空間２９とを連通させるものとなっている。
【００２９】
排気孔２８は可変入賞装置２２の駆動用ソレノイドや液晶表示装置の電子部品から発生する熱によって加熱される空気、また制御回路基板から発する熱や、可変表示装置の駆動源となるモータからの熱等、遊技盤の背面部に備えられる機構部品類から放出される熱によって加熱される空気、つまり熱気を遊技盤背後の空間２７から前面の空間２９に誘導放出するためのものであり、ここでは熱気が上昇し溜まる保護カバー１３の最上部位置に開設して前面の空間２９に向けて自然流出するようにしてある。
【００３０】
尚、この実施例では排気孔２８の形成位置を保護カバー１３の最上部位置としているが、空気の自然対流を利用して排出させることから、前記機構部品類のうち、モータやソレノイド等の駆動源となる部品、或いは液晶表示装置や制御回路基板等における電子部品等の熱発生源となる機構部品類の設置の位置に等しいか、若しくはこれらの位置より上部に開設するものとして熱気の上昇流に乗せて自然流出できるようにすることになる。
【００３１】
本発明は上記の如く構成されるもので、遊技盤８の背面空間２７において可変入賞装置２２、液晶表示装置２３等の熱発生源を有する機構部品から発生した熱気は、対流によって上昇すると共に、熱気発生源の上方に形成される排気孔２８を通して遊技盤前面の空間２９へ自然放出されることになる。そして、これに伴い機構部品には下方から加熱されない空気、つまり冷気が上昇し空冷されることになる。
【００３２】
この遊技盤背後の空間２７における空気の対流が、保護カバー１３の内部において行われる場合には、外気の流入が拒まれることになるため、この場合にはカバー１３の下面若しくは背面の下部に通気孔を開設し、冷気の取込みを図るようにするとよい。勿論、この場合通気孔の開設は防犯を考慮して上述のように不正行為が困難となる下面部や背面の下部が適当であり、しかも出来るだけ遊技制御回路基板等の制御機器類の近くを避けるべきである。
【００３３】
遊技盤８の前面の空間２９に放出された熱気は再び上昇し、機構枠９に設けられる間隙３０を通して枠の外に放出されることになる。
この機構枠の外に出た熱気の一部は外枠１との間を通して後方に流れ、またその外の一部は外枠１と前枠２の召し合わせ部分に出来る空隙を通して上方に放出されることになり、遊技盤８の背後に再び戻ることがなくなる。
【００３４】
【実施例２】
図３は、上述第１の実施例において遊技盤８に開設する排気孔２８を通して空間２９に放出した熱気を更に前枠２の前面側に排出するようにした第２の実施例を示したものである。
この実施例では前記排気孔２８を開設する位置より上部に当たる前枠２の上枠部２ａに第２の排気孔３１を開設して空間２９を上昇してくる熱気をこの第２の排気孔３１を通してパチンコ機の前面側に放出するのである。
【００３５】
この場合において、前記第２の排気孔３１は効率を挙げる上で機構枠の最上部に対応する位置に開設することが適当である。また、前記排気孔２８より口径を大にすることが望まれるが、前枠の上枠部２ａには表示装置としてのトップランプ３２が装備されることが普通であり、場所が制限されることから、横長の長孔として開設するようにするとよい。この横長とした場合には、空間２９の横幅に対応するため縦方向の間隔が狭いスリット状であっても充分に排気することが可能となる。
【００３６】
一方、上記第２の排気孔３１の開設は遊技盤８の密閉状態を開放することになるので不正行為防止の上から図４に示したように防犯ネット３３を装着して防いだり、或いは図５のように排気孔３１の前面側開口部にルーバー形の防止板３４を渡設し、また更には排気孔３１の内部に行き違いに返し片３５を設けてピアノ線等による不正行為を阻止するようにするとよい。
【００３７】
この第２の実施例は、第２の排気孔３１を通してパチンコ機の前面に熱気を逃すので、パチンコ機の背後に再び還流することがなく、機構部品類の作動環境を良好なものとすることができる。
【００３８】
【実施例３】
図６及び図７は第１，第２の実施例において遊技盤８に開設する排気孔２８を遊技盤に装備する飾り部品、ここでは風車２０の取付けを利用してカモフラージュし、直接外観されないようにした第３の実施例を示したものである。
【００３９】
図示するように、風車２０は遊技盤８の前面に取付ける取付基板３６に風車体３７の回転支軸３８を軸承させてある。そして、ここでは更にこの回転支軸の後端を後方に延長し、この延長軸部３８ａに軸流ファン３９を一体に軸着して前記風車体３７が回転したとき上記軸流ファン３９が同時に回転して強制排気するようにしてある。
【００４０】
この風車２０の取付は取付基板３６を遊技盤８に穿つ排気孔２８に前面側から被せるように添わせて取付基板に設ける打込み穴４０にネジを通して揉み込むことによって止着する。この取付けにおいて延長軸部３８ａを排気孔２８に差し入れ軸流ファン３９を排気孔の内部に回転可能な状態に軸装するのである。
【００４１】
上記の構成によれば、遊技盤８に開設された排気孔２８は風車２０の取付けによってその前面が被われるため外観されなくなり、従って従来のパチンコ機におけるものと全く変わらない外観を呈するものとなる。その一方、前記軸流ファン３９を備えるものとした場合は、風車体３７に打球が衝突して回転すると、これによって回転し背後の熱気を前方に向けて強制排出することになる。
【００４２】
以上本発明を実施例に従い説明したが、パチンコ機が稼働することによって遊技盤背後の機構部品類、ことに発熱源となるモータやソレノイド、或いは液晶表示装置等の電子部品から発した熱気は対流によって自然上昇するが、排気孔２８に達したところでこれを透過し、遊技盤背後の空間２７から前面の空間２９に移行することになる。この結果、熱気の上昇、そして排気に伴って下方から新たな空気、つまり冷気が上昇するため前記熱発生源となる機構部品類は冷却され電子部品類の環境は良好なものとなる。
【００４３】
一方、遊技盤前面の空間２９に排出された熱気は更に上昇し、パチンコ機の上方に放出されることになり、遊技盤背後への還流が防止されると共に、第２の排気孔３１を開設したものにあっては前枠２の前面に排出され、完全に遊技盤背後に戻ることはなくなる。
【００４４】
【発明の効果】
以上の説明によって明らかなように、本発明によれば遊技盤背後において機構部品類から発生した熱気はこの機構部品類の設置位置に止まることなく上昇とともに排気孔２８を通して遊技盤前面側に排出され、またこの熱気の上昇に伴って機構部品類には下方から冷気が供給されるため熱気の停滞による機構部品類、ことに制御回路基板等の電子部品の作動環境が損なわれることがなく、従って安定した正常作動を期待することができる。
【図面の簡単な説明】
【図１】本発明に係るパチンコ機を説明する概略正面図。
【図２】図１のＡ−Ａ線に沿って断面とした部分の拡大縦断右側面図。
【図３】第２の実施例における要部の拡大中央縦断右側面図。
【図４】前枠に開設する第２の排気孔を説明する拡大中央縦断右側面図。
【図５】第２の排気孔の他の実施例を示す拡大縦断右側面図。
【図６】排気孔に風車を装着した状態の他の実施例を説明する拡大縦断右側面図。
【図７】図６のＢ−Ｂ線に沿って断面とした風車の正面図である。
【符号の説明】
１        外枠
２        前枠
２ａ      前枠の上部枠
３        ガラス枠
４        ガラス
８        遊技盤
９        機構枠
１３        保護カバー
２０        風車
２２        可変入賞装置
２３        液晶表示装置
２７        遊技盤背後の空間
２８        排気孔
２９        遊技盤前面の空間
３１        前枠に開設した第２の排気孔
３３        防護ネット
３４        防止板
３５        返し片
３６        風車の取付基板
３７        風車体
３８        回転支軸
３８ａ      回転支軸の延長軸部
３９        軸流ファン
【図１】
0004531245.tif 000002
【図２】
0004531245.tif 000003
【図３】
0004531245.tif 000004
【図４】
0004531245.tif 000005
【図５】
0004531245.tif 000006
【図６】
0004531245.tif 000007
【図７】
0004531245.tif 000008